(57)【要約】      （修正有）【課題】汎用されている鍼術用鍼と鍼管であっても、鍼術前に鍼術用鍼を鍼管に対して確実に保持して鍼術用鍼の損傷や汚染を防止でき、鍼術時に片手で鍼術用鍼と鍼管との簡便な取り扱いが達成できる鍼術用鍼ユニットを提供すること。【解決手段】鍼本体１１１と鍼柄１１２とを有する鍼術用鍼１１０と、この鍼術用鍼１１０を貫通自在に挿入して保護案内する鍼管１２０と、鍼術用鍼１１０の鍼柄１１２を鍼管１２０に露出した状態で鍼術用鍼１１０と鍼管１２０とを一体に留置する留置用アダプター１３０とで構成され、前記留置用アダプター１３０が、鍼管１２０の外周面を抱持する馬蹄形内周面１３１ａを形成した鍼管用留置部１３１とこの鍼管用留置部１３１に連接して鍼柄１１２の外周面を抱持する馬蹄形内周面１３２ａを形成した鍼柄用留置部１３２とを面一状態で備えている鍼術用鍼ユニット１００。【選択図】図２
2008125855.tif 000002
【特許請求の範囲】
【請求項１】
鍼本体と該鍼本体より大径の鍼柄とを有する鍼術用鍼と、該鍼術用鍼を貫通自在に挿入して保護案内する鍼管と、前記鍼術用鍼の鍼柄を鍼管に露出した状態で鍼術用鍼と鍼管とを一体に留置する留置用アダプターとで構成された鍼術用鍼ユニットであって、
前記留置用アダプターが、前記鍼管の外周面を抱持する馬蹄形内周面を形成した鍼管用留置部と該鍼管用留置部に連接して鍼柄の外周面を抱持する馬蹄形内周面を形成した鍼柄用留置部とを面一状態で少なくとも備えていることを特徴とする鍼術用鍼ユニット。
【請求項２】
前記鍼管を着脱自在に係止する鍼管係止用リブが、前記鍼管用留置部の開口側縁に凸設されていることを特徴とする請求項１記載の鍼術用鍼ユニット。
【請求項３】
前記鍼柄を着脱自在に係止する鍼柄係止用リブが、前記鍼柄用留置部の開口側縁に凸設されていることを特徴とする請求項１または請求項２記載の鍼術用鍼ユニット。
【請求項４】
前記留置用アダプターが、前記鍼柄用留置部に連接した先端側に留置解除用人差し指当接部を面一状態で備えていることを特徴とする請求項１乃至請求項３のいずれか記載の鍼術用鍼ユニット。
【請求項５】
前記鍼管と留置用アダプターとが、ポリエチレン樹脂で成形されていることを特徴とする請求項１乃至請求項４のいずれか記載の鍼術用鍼ユニット。
【発明の詳細な説明】
【技術分野】
【０００１】
本発明は、東洋医学の鍼術治療に用いられる鍼術用鍼に係るものであって、さらに、詳しくは、鍼術用鍼と鍼管とを一体化した鍼管付き鍼ユニットに関するものである。
【背景技術】
【０００２】
従来、鍼術用鍼は、鍼先の安全保護、衛生管理などの観点から、鍼術時に併用する鍼管と一体化した鍼管付き鍼ユニットとして取り扱われ、このような鍼管付き鍼ユニットとして、鍼の鍼柄と鍼管とを超音波溶着して施術時まで仮留めした鍼管付き鍼（例えば、特許文献１を参照）、あるいは、鍼術用鍼の鍼柄に鍼管掛止部を設けるとともに鍼管に鍼柄掛止用孔を設けて両者を施術時まで掛止した鍼管付き鍼術用鍼がある（例えば、特許文献２を参照）。
【特許文献１】特開平９−２８７５８号公報（第３頁、図１）
【特許文献２】特開２００６−１５８６１６号公報（第９頁、図４）
【発明の開示】
【発明が解決しようとする課題】
【０００３】
しかしながら、特許文献１に記載されているような従来の鍼管付き鍼は、鍼の樹脂製鍼柄に形成された溶着用凸部と樹脂製鍼管の内周面とを一体に超音波溶着しているため、施術時に片方の手で鍼管を保持し、他方の手で鍼柄を捩りながら外す、所謂、鍼管から鍼を解放する際に両手を必要とする施術動作上の厄介な問題があり、また、鍼柄の溶着用凸部と鍼管との溶着状態が一定していないため、鍼が鍼管から不意に脱落して破損、汚染、誤刺などを惹起したり、施術時に鍼が鍼管を円滑な挿通が妨げられて施術に支障を来すという問題があり、さらに、樹脂製鍼柄が溶着用凸部を備えた特殊構造の鍼となっているため、一般的に汎用されている鍼術用鍼で代用することができないという問題があった。
【０００４】
また、特許文献２に記載されているような従来の鍼管付き鍼術用鍼は、鍼柄の鍼軸線方向の２箇所に設けた突起からなる鍼管掛止部と鍼管の上端に設けた鍼柄掛止用孔とを掛止しているため、施術時に鍼柄の上部を鍼軸線方向に押圧して鍼管と鍼術用鍼との掛止を解放する必要があるが、この場合、鍼術用鍼の鍼柄を必要以上に押圧して患部を過度に突き刺し、所謂、ツボを外すなどの恐れがあるという問題があり、また、鍼柄の鍼軸線方向の２箇所に鍼管掛止部を設けた特殊構造の鍼術用鍼となっているため、一般的に汎用されている鍼術用鍼で代用することができないという問題があった。
【０００５】
そこで、本発明の目的は、前述したような課題を解決するものであって、汎用されている鍼術用鍼と鍼管であっても鍼術前に鍼術用鍼を鍼管に対して確実に保持して鍼術用鍼の損傷や汚染を防止できるとともに、鍼術時に片手で鍼術用鍼と鍼管との簡便な取り扱いが達成でき、しかも、ガンマー照射による減菌処理時に鍼管などの形態安定性を確保できる鍼術用鍼ユニットを提供することである。
【課題を解決するための手段】
【０００６】
まず、本請求項１に係る発明は、鍼本体と該鍼本体より大径の鍼柄とを有する鍼術用鍼と、該鍼術用鍼を貫通自在に挿入して保護案内する鍼管と、前記鍼術用鍼の鍼柄を鍼管に露出した状態で鍼術用鍼と鍼管とを一体に留置する留置用アダプターとで構成された鍼術用鍼ユニットであって、前記留置用アダプターが前記鍼管の外周面を抱持する馬蹄形内周面を形成した鍼管用留置部と該鍼管用留置部に連接して鍼柄の外周面を抱持する馬蹄形内周面を形成した鍼柄用留置部とを面一状態で少なくとも備えていることによって、前述した課題を解決したものである。
【０００７】
そして、本請求項２に係る発明は、本請求項１に係る発明の構成に加えて、前記鍼管を着脱自在に係止する鍼管係止用リブが前記鍼管用留置部の開口側縁に凸設されていることによって、前述した課題をさらに解決したものである。
【０００８】
また、本請求項３に係る発明は、本請求項１または請求項２に係る発明の構成に加えて、前記鍼柄を着脱自在に係止する鍼柄係止用リブが前記鍼柄用留置部の開口側縁に凸設されていることによって、前述した課題をさらに解決したものである。
【０００９】
本請求項４に係る発明は、本請求項１乃至請求項３のいずれかに係る発明の構成に加えて、前記留置用アダプターが、前記鍼柄用留置部に連接した先端側に留置解除用人差し指当接部を面一状態で備えていることによって、前述した課題をさらに解決したものである。
【００１０】
本請求項５に係る発明は、本請求項１乃至請求項４のいずれかに係る発明の構成に加えて、前記鍼管と留置用アダプターとが、ポリエチレン樹脂で成形されていることによって、前述した課題をさらに解決したものである。
【発明の効果】
【００１１】
本発明の鍼術用鍼ユニットは、本発明に特有の構成により、以下のような効果を奏することができる。
【００１２】
すなわち、本請求項１に係る発明の鍼術用鍼ユニットは、鍼本体と該鍼本体より大径の鍼柄とを有する鍼術用鍼とこの鍼術用鍼を貫通自在に挿入して保護案内する鍼管と前記鍼術用鍼の鍼柄を鍼管に露出した状態で鍼術用鍼と鍼管とを一体に留置する留置用アダプターとで構成されていることにより、留置用アダプターが鍼術用鍼と鍼管とを一体に留置して鍼術用鍼の鍼本体を完全に被覆して保護するため、汎用されている鍼術用鍼と鍼管であっても、鍼術前の取り扱いにおいて鍼術用鍼の鍼本体を鍼管から不意に露出することもなく鍼術用鍼の損傷や汚染を防止でき、また、鍼術時に、鍼術用鍼ユニットを把持する手の人差し指で鍼術用鍼ユニットから留置用アダプターのみを離脱させて鍼術用鍼と鍼管との留置状態を解放可能にするため、施術者がもう一方の手で患者の患部を触診して特定するなどの鍼術動作を簡便に達成でき、しかも、鍼術を迅速かつ的確に達成することができる。
【００１３】
また、前記留置用アダプターが、鍼管の外周面を抱持する馬蹄形内周面を形成した鍼管用留置部とこの鍼管用留置部に連接して鍼柄の外周面を抱持する馬蹄形内周面を形成した鍼柄用留置部とを面一状態で少なくとも備えていることによって、鍼術用鍼と鍼管とを留置用アダプターに装着する際に鍼管が鍼管用留置部の馬蹄形内周面を押し拡げると同時に鍼術用鍼の鍼柄が鍼柄用留置部の馬蹄形内周面を押し拡げるように装着してそれぞれの馬蹄形内周面に弾力的な抱持力を発生させるため、鍼術用鍼と鍼管とを留置用アダプターから外れて脱落することもなく確実に保持して簡便に取り扱うことができる。
【００１４】
そして、本請求項２に係る発明の鍼術用鍼ユニットは、本請求項１に係る発明が奏する効果に加えて、鍼管を着脱自在に係止する鍼管係止用リブが、鍼管用留置部の開口側縁に凸設されていることにより、鍼管係止用リブが鍼管の母線に沿って鍼管の長手方向に線接触するとともに、鍼管を抱持している馬蹄形内周面の開口部幅を狭小化するため、鍼管用留置部に対して鍼管を係止状態でより一段と確実に保持でき、また、留置用アダプターと鍼管との間で生じる不意の滑脱も回避できる。
【００１５】
また、本請求項３に係る発明の鍼術用鍼ユニットは、本請求項１または本請求項２に係る発明が奏する効果に加えて、鍼柄を着脱自在に係止する鍼柄係止用リブが、鍼柄用留置部の開口側縁に凸設されていることにより、鍼柄係止用リブが鍼柄の母線に沿って鍼柄の長手方向に線接触するとともに、鍼術用鍼の鍼柄を抱持している馬蹄形内周面の開口部幅を狭小化するため、鍼柄用留置部に対して鍼柄を係止状態でより一段と確実に保持でき、また、鍼管用留置部に保持された鍼管から鍼術用鍼の飛び出しや抜け出しなどを防止して鍼術用鍼を完全に保護することができる。
【００１６】
さらに、本請求項４に係る発明の鍼術用鍼ユニットは、本請求項１乃至本請求項３のいずれかに係る発明が奏する効果に加えて、留置用アダプターが、鍼柄用留置部に連接した先端側に留置解除用人差し指当接部を面一状態で備えていることにより、鍼術時に、鍼術用鍼ユニットを把持する手の人差し指で留置解除用人差し指当接部を押し倒すと、鍼術用鍼ユニットから留置用アダプターのみが簡便に離脱して鍼術用鍼と鍼管との留置状態が解放可能になるため、鍼術を迅速かつ的確に達成することができる。
【００１７】
また、本請求項５に係る発明の鍼術用鍼ユニットは、本請求項１乃至本請求項４のいずれかに係る発明が奏する効果に加えて、鍼管と留置用アダプターとが、ポリエチレン樹脂で成形されていることにより、ガンマー照射による減菌処理時にポリエチレン樹脂の相互間に耐熱性、耐候性、耐ストレスクラッキング性などを向上させる架橋が生じるため、鍼管と留置用アダプターの形態安定性を向上させてより安定した留置状態を確保することができる。
【発明を実施するための最良の形態】
【００１８】
本発明の鍼術用鍼ユニットは、鍼本体と該鍼本体より大径の鍼柄とを有する鍼術用鍼とこの鍼術用鍼を貫通自在に挿入して保護案内する鍼管と前記鍼術用鍼の鍼柄を鍼管に露出した状態で鍼術用鍼と鍼管とを一体に留置する留置用アダプターとで構成され、前記留置用アダプターが鍼管の外周面を抱持する馬蹄形内周面を形成した鍼管用留置部とこの鍼管用留置部に連接して鍼柄の外周面を抱持する馬蹄形内周面を形成した鍼柄用留置部とを面一状態でそれぞれ備え、汎用されている鍼術用鍼と鍼管であっても、鍼術前に鍼術用鍼を鍼管に対して確実に保持して鍼術用鍼の損傷や汚染を防止するとともに、鍼術時に片手で鍼術用鍼と鍼管との簡便な取り扱いが達成して、ガンマー照射による減菌処理時に鍼管などの形態安定性を確保するものであれば、その具体的な実施の態様は如何なるものであっても何ら構わない。
【００１９】
まず、本発明の鍼術用鍼ユニットに用いた鍼術用鍼については、鍼本体と該鍼本体より大径の鍼柄とを有するものであれば、鍼本体と鍼柄とカシメたもの、あるいは、鍼本体を鍼柄に溶着したもののいずれであっても良く、さらに、鍼本体の素材については、金、銀、ステンレスのいずれであっても良い。
【００２０】
また、本発明の鍼術用鍼ユニットに用いた留置用アダプターの具体的な形態については、鍼管の外周部を抱持する鍼管留置部とこの鍼管留置部に連接して鍼柄の外周部を抱持する鍼柄留置部とを面一状態で備えていれば如何なる形態であっても良く、たとえば、このような鍼管留置部と鍼柄留置部とを面一状態に配置するために外側面を一部切り欠いた円柱状チップ、多角柱状チップなどを採用することができる。
【００２１】
そして、前述した鍼管留置部と鍼柄留置部の馬蹄形内周面は、鍼術用鍼の鍼柄及び鍼管の外周面をそれぞれ抱持して弾力的な抱持力を発生させるものであれば如何なる内周面であっても良く、例えば、湾曲面、多角形面などで構成することができ、特に、湾曲面を採用した場合には、内周面の全面に亙って均一な抱持力を発生させることもでき、多角形面を採用した場合には、鍼術用鍼の鍼柄もしくは鍼管の外周面との接触面圧を高めて集中的な抱持力を発生させることもできる。
【００２２】
また、本発明における鍼柄係止用リブと鍼管係止用リブは、鍼管鍼柄及び鍼管を確実に抱持して滑脱を回避できるものであれば良く、そのリブ形態については、鍼柄留置部及び鍼管留置部のそれぞれの全長に亙って連続的、もしくは、断続的に形成されたもののいずれであっても良い。
【００２３】
本発明における鍼柄用留置部の設置長さについては、鍼管から突出させた鍼術用鍼の鍼柄を確実に留置するに足りる長さであれば良いが、特に、鍼術する際に鍼術用鍼が突き刺す深さと同程度に設定した場合には、鍼術者の熟練度に依存することなく簡便に施術することができる。
【実施例】
【００２４】
本発明の一実施例である鍼術用鍼ユニット１００は、東洋医学の鍼術治療に用いられるものであって、以下、図面に基づいて詳しく説明する。
【００２５】
図１は、本発明の一実施例である鍼術用鍼ユニット１００の使用態様図であり、図２は、本発明の一実施例である鍼術用鍼ユニット１００を一部破断して示す全体図であり、図３は、図２におけるＡ−Ａ線から矢視した断面図であり、図４は、図２におけるＢ−Ｂ線から矢視した断面図である。
そして、図５乃至図７は、留置用アダプターの解放動作を説明するものであって、図５は、留置用アダプターの解放直前を示す状態図であり、図６は、留置用アダプターの解放中を示す状態図であり、図７は、留置用アダプターの解放直後を示す状態図である。
【００２６】
まず、図１乃至図２に示すように、本実施例の鍼術用鍼ユニット１００は、鍼本体１１１とこの鍼本体１１１より大径の鍼柄１１２とを有するステンレス製の鍼術用鍼１１０と、この鍼術用鍼１１０を貫通自在に挿入して保護案内する鍼管１２０と、前記鍼術用鍼１１０の鍼柄１１２を鍼管１２０に露出した状態で鍼術用鍼１１０と鍼管１２０とを一体に留置する留置用アダプター１３０とで構成されている。
【００２７】
ここで、本実施例で採用する鍼術用鍼１１０は、一般に鍼術用鍼として汎用されているものであって、すなわち、ステンレス製の鍼体１１１の基端が嵌め込まれたステンレス製の鍼柄１１２をカシメ加工したものである。
【００２８】
また、本実施例で採用する鍼管１２０は、一般に鍼術用鍼として汎用されているものであって、すなわち、前述した鍼術用鍼１１０の鍼柄１１２の外径よりも大きい内径を備えて鍼柄１１２を挿通して保護案内するポリエチレン製の円筒体である。
【００２９】
つぎに、本実施例の鍼術用鍼ユニット１００が最も特徴とする留置用アダプター１３０について、図２乃至図４に基づいて以下に詳しく説明する。
【００３０】
すなわち、本実施例で用いた留置用アダプター１３０は、ポリエチレン製の円柱状チップの外周面を一部切り欠いたような外観形状を呈しており、その外周面を一部切り欠いてなる平坦面に、前述した鍼管１２０の外周面を抱持する馬蹄形内周面１３１ａを形成した鍼管用留置部１３１と、この鍼管用留置部１３１に連接して鍼柄１１２の外周面を抱持する馬蹄形内周面１３２ａを形成した鍼柄用留置部１３２と、鍼柄用留置部１３２に連接した先端側に留置解除用人差し指当接部１３３とを面一状態でそれぞれ配設している。
なお、鍼管用留置部１３１の馬蹄形内周面１３１ａと鍼柄用留置部１３２の馬蹄形内周面１３２ａとは、鍼術用鍼１１０および鍼管１２０と同様に、これらの長手方向かつ同軸状に配置されている。
【００３１】
そして、鍼管用留置部１３１に形成された馬蹄形内周面１３１ａの開口部幅Ｗ１は、鍼管１２０の外径より僅かに小さく、鍼柄用留置部１３２に形成された馬蹄形内周面１３２ａの開口部幅Ｗ２は、鍼柄１１２の外径より僅かに小さくなっている。
本実施例では、留置用アダプター１３０は、Ｕ字状断面を呈しており、その円弧部分の外径は、５．０ｍｍに設定され、その直線部分は、０．８ｍｍに設定されている。さらに、鍼管用留置部１３１の馬蹄形内周面１３１ａも、Ｕ字状を呈しており、その開口部幅Ｗ１は、３．０ｍｍに設定している。また、鍼柄用留置部１３２の馬蹄形内周面１３２ａも、Ｕ字状を呈しており、その開口部幅Ｗ１は、１．２ｍｍに設定している。
加えて、留置用アダプター１３０の全長は、１４．０ｍｍであり、鍼管用留置部１３１の全長は、５．０ｍｍであり、鍼柄用留置部１３２の全長は、５．０ｍｍであり、留置解除用人差し指当接部１３３の全長は、４．０ｍｍである。
【００３２】
したがって、本実施例で用いたポリエチレン製の留置用アダプター１３０は、鍼術用鍼１１０と鍼管１２０を装着して組み付ける際に、鍼管１２０が鍼管用留置部１３１の馬蹄形内周面１３１ａを鍼柄１１２の外径を許容する程度まで押し拡げると同時に鍼術用鍼１１０の鍼柄１１２が鍼柄用留置部１３２の馬蹄形内周面１３２ａを鍼柄１１２の外径を許容する程度まで押し拡げるように装着されるため、鍼管用留置部１３１の馬蹄形内周面１３１ａと鍼柄用留置部１３２の馬蹄形内周面１３２ａにその馬蹄形態とポリエチレン素材に起因する弾力的な抱持力がそれぞれ発生して、鍼術用鍼１１０と鍼管１２０とを確実に保持するようになっている。
【００３３】
そして、本実施例で用いた留置用アダプター１３０には、鍼管１２０を着脱自在に係止する鍼管係止用リブ１３１ｂが、鍼管用留置部１３１の開口側縁に沿って連続的に凸設されている。
これにより、鍼管係止用リブ１３１ｂが、鍼管１２０の母線に沿って鍼管１２０の長手方向に線接触するとともに、鍼管１２０を抱持している馬蹄形内周面１３１ａの開口部幅Ｗ１を狭小化して、鍼管用留置部１３１に対して鍼管１２０を係止状態でより一段と確実に保持するようになっている。
【００３４】
また、本実施例で用いた留置用アダプター１３０には、鍼柄１１２を着脱自在に係止する鍼柄係止用リブ１３２ｂが、鍼柄用留置部１３２の開口側縁に沿って連続的に凸設されている。
これにより、鍼柄係止用リブ１３２ｂが、鍼術用鍼１１０の鍼柄１１２の母線に沿って鍼柄１１２の長手方向に線接触するとともに、鍼術用鍼１１０の鍼柄１１２を抱持している馬蹄形内周面１３２ａの開口部幅Ｗ２を狭小化して、鍼柄用留置部１３２に対して鍼柄１１２を係止状態でより一段と確実に保持するようになっている。
【００３５】
さらに、本実施例で用いた留置用アダプター１３０には、鍼柄用留置部１３２に連接した先端側に留置解除用人差し指当接部１３３を面一状態で備え、鍼術時に鍼術用鍼ユニット１３０を把持する手の人差し指でこの留置解除用人差し指当接部１３３を押し倒すと、鍼術用鍼１１０と鍼管１２０との留置状態を解放するようになっている。
【００３６】
そこで、鍼術時における留置用アダプター１３０の離脱動作について図５乃至図７に基づいて説明すると、以下のとおりである。
まず、施術者が、一方の手で患者を触診しながら患部を特定し、他方の手の親指及び中指で鍼管１２０を把持しながら人指し指で図５に示す留置用アダプター１３０の留置解除用人差し指当接部１３３を図中の矢印方向に押し倒すと、図６に示すように、鍼柄１１２の露出端近傍を基点にして図中の矢印方向に回動しながら鍼管用留置部１３１が鍼管１２０から離脱し、次いで、図７に示すように、鍼柄用留置部１３２が鍼術用鍼１１０の鍼柄１１２から完全に離脱する。
このようにして、施術者が、片手で留置用アダプター１３０から鍼術用鍼１１０と鍼管１２０との留置状態を解放するようになっている。
【００３７】
なお、本実施例の鍼術用鍼ユニット１００は、滅菌用外装袋に一本ずつ包装された後、コバルト６０などによるガンマー線滅菌が施されて、使用に供されていることは言うまでもない。
【００３８】
このようにして得られた本実施例の鍼術用鍼ユニット１００では、ポリエチレン製の留置用アダプター１３０が、鍼管１２０の外周面を抱持する馬蹄形内周面１３１ａを形成した鍼管用留置部１３１と、この鍼管用留置部１３１に連接して鍼柄１１２の外周面を抱持する馬蹄形内周面１３２ａを形成した鍼柄用留置部１３２と、さらに、この鍼柄用留置部１３２に連接した先端側に留置解除用人差し指当接部１３３とを面一状態でそれぞれ備えていることにより、従来の鍼術用鍼のような鍼柄に仮留めするための特殊な加工を施したことによる鍼術用鍼の取り扱い上の不都合もなく、一般に汎用されている鍼術用鍼１１０と鍼管１２０であっても、鍼術前に鍼術用鍼１１０を鍼管１２０に対して抱持力により確実に保持して鍼術用鍼１１０の損傷や汚染を防止することができるとともに、鍼術時に片手で留置用アダプター１３０を離脱させることにより鍼術用鍼１１０と鍼管１２０との簡便な取り扱いが達成することができ、しかも、ガンマー照射による減菌処理時にポリエチレン樹脂の相互間に耐熱性、耐候性、耐ストレスクラッキング性などを向上させる架橋を惹起させてポリエチレン製の鍼管１２０などの形態安定性を確保することができるなど、その効果は甚大である。
【図面の簡単な説明】
【００３９】
【図１】本発明の一実施例である鍼術用鍼ユニット１００の使用態様図。
【図２】本発明の一実施例である鍼術用鍼ユニット１００を一部破断して示す全体図。
【図３】図２におけるＡ−Ａ線から矢視した断面図。
【図４】図２におけるＢ−Ｂ線から矢視した断面図。
【図５】留置用アダプターの解放直前を示す状態図。
【図６】留置用アダプターの解放中を示す状態図。
【図７】留置用アダプターの解放直後を示す状態図。
【符号の説明】
【００４０】
１００  ・・・  鍼術用鍼ユニット
１１０  ・・・  鍼術用鍼
１１１  ・・・  鍼本体
１１２  ・・・  鍼柄
１２０  ・・・  鍼管
１３０  ・・・  留置用アダプター
１３１  ・・・  鍼管用留置部
１３１ａ・・・  鍼管用留置部の馬蹄形内周面
１３１ｂ・・・  鍼管留置用リブ
１３２  ・・・  鍼柄用留置部
１３２ａ・・・  鍼柄用留置部の馬蹄形内周面
１３２ｂ・・・  鍼柄留置用リブ
Ｗ１  ・・・  鍼管用留置部における馬蹄形内周溝の開口部幅
Ｗ２  ・・・  鍼柄用留置部における馬蹄形内周溝の開口部幅
Ｍ    ・・・  人体患部
【図１】
2008125855.tif 000003
【図２】
2008125855.tif 000004
【図３】
2008125855.tif 000005
【図４】
2008125855.tif 000006
【図５】
2008125855.tif 000007
【図６】
2008125855.tif 000008
【図７】
2008125855.tif 000009